(57)【特許請求の範囲】
【請求項１】
計器の指針軸の左右に略相対して設けられた２つの光源（１２Ａ、１２Ｂ）と、
該２つの光源に近接した受光面（１６Ａ、１６Ｂ）を有し、該２つの光源の放射光をそれぞれ指針、文字板等に導く２つの導光路（１７Ａ、１７Ｂ）と、該２つの光源に近接した受光面（１６Ｃ、１６Ｄ）を有し、該２つの光源の放射光をそれぞれ透過式液晶表示器へ導く２つの導光路（２４Ａ、２４Ｂ）を有する第１導光板（１３）と、
該第１導光板の２つの導光路（２４Ａ、２４Ｂ）によって導かれた光を受光して、上記透過式液晶表示器をその裏側から照明する方形の第２導光板（１９）と、
を備えた車両用計器の照明装置であって、
上記第１の導光板（１３）の導光路（２４Ａ、２４Ｂ）辺縁部と、上記第２の導光板（１９）の辺縁部とを対向近接させ、上記第１の導光板（１３）の辺縁部には、上記第２の導光板（１９）への導光方向に対し直交する多数の放射面（１８）を形成し、また上記第２の導光板（１９）の辺縁部には、上記多数の放射面（１８）から放射される光を受光可能に形成される多数の受光面（２１）を形成したことを特徴とする車両用計器の照明装置。
【発明の詳細な説明】
【０００１】
【発明の属する技術分野】
本発明は、光源からの光で計器を照明する車両用計器の照明装置であって、特にその光源からの光を、複数個の導光板を介して複数の表示部を同時照明する構造の車両用計器の照明装置に関するものである。
【０００２】
【従来の技術】
図４は従来の車両用計器照明装置の導光板構造を示すものであって、これは第１の導光板１と第２の導光板２を具備しており、第１の導光板１は、例えばアナログ式計器の指針（図示せず）を照明する導光板であり、また第２の導光板２は、例えば時計、積算計等の液晶表示器を透過照明するための導光板であって、上記第１の導光板１には、第１の光源３からの光を受ける受光面５、及び第２の光源４からの光を受ける受光面６を有し、また第２の導光板２には、第１の光源３からの光を受ける受光面７を有している。
【０００３】
そして上記第１の光源３及び第２の光源４を点灯すれば、それら光源３，４からの光は、受光面５，６及び７によって受光され、第１の導光板１では、不図示の指針方向へ導光され、また第２の導光板２では、横長長方形の発光面８が面発光されて、その発光面８上に重ね合せられる透過光式液晶表示器（図示せず）が透過照明されるものである。
【０００４】
【発明が解決しようとする課題】
ところが、このような計器照明装置における特に第２の導光板２にあっては、時計の時刻修正用のノブ又は、積算計（トリップメータ）のリセットノブ等が、液晶表示器の側方に配置されると、第２の導光板２は第２の光源４からの光を導光する導光部を形成するスペースを得ることができず、第２の光源４からの光を有効に利用できず、受光面を第１の光源３側のみしか形成できないため、長方形発光面８の全面を均一に面発光せしめることができず、これによって透過光式液晶表示器の表示に輝度むらが生じたり、輝度不足を生じる可能性があった。
【０００５】
また第２の導光板２にあっては、長方形発光面８の片方に受光面７に通じる導光部９を突設しなければならないことから、その導光部９を配置すべきスペースが車両用計器の内部に確保しなければならず、これにより車両用計器全体が大型化されてしまう不具合もあった。
【０００６】
また上記第１の光源３及び第２の光源４の配置位置は、車種毎に異るため、導光板の汎用性がなく、特に第２の導光板２にあっては、各車種毎に使用される各種導光板を用意しなければならず、経済性に欠けるものであった。
【０００７】
本発明は、かかることに着目してなされたもので、第１の導光板により導光される光の一部を第２の導光板へ放射せしめるようにして、第２の導光板においては、光源からの光を直接に受ける受光面及び導光部を省くことができるようにして、第２の導光板の全体形状の小型化を図り、これにより車両用計器内部のスペースの有効利用度を高め、さらには、各車種に対応して汎用性に優れた導光板となすことを目的とするものである。
【０００８】
【課題を解決するための手段】
この目的を達成するために、本発明では、第１の導光板と、第２の導光板を備えた車両用計器の照明装置において、第１の導光板の導光部辺縁と、第２の導光板の辺縁とを対向させ、上記第１の導光板の辺縁には、第２の導光板への導光方向に対し直交する多数の放射面を形成し、また第２の導光板の上記辺縁には、上記多数の放射面から出光する光を受光可能な多数の受光面を形成したことを特徴としている。
【０００９】
【発明の実施の形態】
以下に本発明を図面に示す実施形態に基いて詳細に説明する。
【００１０】
図１、図２において、１１は車両用計器の基板であって、この基板１１には、計器照明用の光源１２が保持されている。１３は上記光源１２からの光をアナログ式計器の指針（図示せず）を照明するために設備されている第１の導光板であって、この第１の導光板１３は、計器プリント基板１４の上面に載置固定されている計器本体に、取付部１５を介して固定される。
【００１１】
またこの第１の導光板１３には、前記の光源１２に近接される第１及び第２の受光面１６Ａ，１６Ｂを有し、それら第１、第２の受光面１６Ａ，１６Ｂで受光された光は、導光路１７を経て不図示の指針方向へ導光されるものである。
【００１２】
さらにまた第１の導光板１３には、第２の導光板１９に光を導くために、光源１２に近接して受光面１６Ｃ，１６Ｄを有する導光路２４を有し、かつ導光路２４により導かれた光を第２の導光板に向けて放射する光放射面１８が、第２の導光板１９と対向する面に形成されている。この光放射面１８は、導光路２４を介して導かれた光源１２からの光の光放射効率を高めるために図３で示すように、導光路２４を介して導かれた光の光放射方向に対して直交する多数の放射面１８に形成されているものである。
【００１３】
１９は、透過式液晶表示器２０を、その裏側から透過照明するための第２の導光板であって、この第２の導光板の形状は、透過式液晶表示器２０の長方形状に合せて横長の長方形に形成されている。また底面はなし地状又は反射面状に形成されていると共に、第１の導光板から導かれた光を上方へ反射させるように傾斜されている。
【００１４】
さらに、この第２の導光板１９の上縁つまり、上記第１の導光板１３に設けた放射面１８の形成辺縁と対向する辺縁には、第１の導光板１３から放射される光を受光する受光面２１が形成されているが、この受光面２１は、上記多数の放射面１８に対して平行に位置される多数の受光面２１に形成されている。なお２２は透過式液晶表示器２０による表示窓部、２３は計器文字板を示す。尚、前記受光面２１は、放射面１８と平行としたが、若干のずれがあっても放射面１８からの放射光を受光できれば問題はない。
【００１５】
以上が本実施形態であるが、次にその作用について述べると、本実施形態では、アナログ計器の指針、文字板等を照明するための第１の導光板１３と、透過式液晶表示器２０を透過照明するための第２の導光板１９を有し、その第１の導光板１３には、光源１２から光を受光する受光面１６Ａ，１６Ｂが設けられているので、第１の導光板１３では、光源１２から光を直接受けてアナログ計器の照明が可能である。さらに第１の導光板１３には受光面１６Ｃ，１６Ｄを有する導光路２４により、光源からの光を導光し、かつ、第２の導光板１９へ放射する放射面１８を設けると共に、第２の導光板１９には、上記放射面１８から放射される光を受光する第１の導光板１３の放射面１８と平行する受光面２１を設けて、光源１２からの光を、第１の導光板１３を介して間接的に受光する構造であるから、第２の導光板１９にあっては、光源１２に近接する受光面の構成が不要となる。
【００１６】
また第２の導光板１９に形成される受光面は、第１の導光板１３における放射面形成の辺縁に対向接近される辺縁に形成したものであるから、その第２の導光板１９にあっては、該第２の導光板の側方へ突出される受光面を形成する必要がなくなる等のことでこの第２の導光板の汎用性が高められると共に第２の導光板の全体形状を小型化することができる。
【００１７】
この第２の導光板１９の小型化により、車両用計器内のスペースが拡大し、他部品の設備スペース等として有効利用することができる。
【００１８】
また第２の導光板１９では、第１の導光板１３の長尺の辺縁で放射する放射光を第２の導光板１９の長尺の辺縁で受光することができるので、第２の導光板１９による導光量を増大させることができ、透過照明式液晶表示器の輝度を十分に高めることができる。
【００１９】
【発明の効果】
以上のように本発明では、２つの光源の放射光を透過式液晶表示器に導く導光路（２４Ａ、２４Ｂ）を第１の導光板（１３）に設け、第１の導光板（１３）の導光路（２４Ａ、２４Ｂ）辺縁部と、方形の第２の導光板（１９）の辺縁部とを対向近接させ、第１の導光板（１３）の辺縁部には、第２の導光板（１９）への導光方向に対し直交する多数の放射面（１８）を形成し、また第２の導光板（１９）の辺縁部には、上記多数の放射面（１８）から放射される光を受光可能に形成される多数の受光面（２１）を形成したことたことにより、２つの光源の放射光を第２の導光板（１９）の方形の辺縁で受光することができ、第２の導光板（１９）による導光量を増大させ、透過照明式液晶表示器の輝度を十分に高めることができ、輝度むらをなくすことができる。
また、透過式液晶表示器に導光するための第２の導光板（１９）の突設部をなくし、方形にして小型に形成することができるので、第２の導光板（１９）を各車種に共通使用することが可能であって汎用性が高められると共に、車両用計器内のスペース利用度が高められる。
【図面の簡単な説明】
【図１】本発明実施例の車両用計器照明装置の実施形態を示した正面説明図。
【図２】図１の側面説明図。
【図３】本発明実施例の車両用計器照明装置の実施形態を示した要部拡大図。
【図４】従来の車両用計器照明装置を示した正面説明図。
【符号の説明】
１１…基板                        １２（１２Ａ、１２Ｂ）…光源
１３…第１の導光板                １４…計器プリント基板
１５…取付部                      １６Ａ，１６Ｂ…受光面
１７（１７Ａ、１７Ｂ）…導光路  
１８…放射面
１９…第２の導光板                ２０…透過式液晶表示器
２１…受光面                      ２２…表示窓部
２３…計器文字板
２４（２４Ａ、２４Ｂ）…導光路
【図１】
0003611262.tif 000002
【図２】
0003611262.tif 000003
【図３】
0003611262.tif 000004
【図４】
0003611262.tif 000005